(57)【要約】【課題】収納性を維持しつつ運転者の着座姿勢及び着座位置の自由度を向上させることができるインナーラック構造を提供する。【解決手段】スクータ型自動二輪車の着座シートの前方で運転者の脚部に対峙した位置に設けられ、荷物を収納可能な収納スペースが形成されたインナーラック構造において、インナーラックは、可撓性材料にて形成され、着座シートに着座した運転者の脚が当接したとき、その当接形状と略同等形状に変形可能とされたものである。【選択図】図１６
2017508664.tif 000002
【特許請求の範囲】
【請求項１】
スクータ型自動二輪車の着座シートの前方で運転者の脚部に対峙した位置に設けられ、荷物を収納可能な収納スペースが形成されたインナーラック構造において、
前記インナーラックは、可撓性材料にて形成され、前記着座シートに着座した運転者の脚が当接したとき、その当接形状と略同等形状に変形可能とされたことを特徴とするインナーラック構造。
【請求項２】
前記インナーラックは、ポリ塩化ビニル材料を所望形状に成形して成り、肉厚が２〜４ｍｍ及び硬度が３０〜６０程度とされたことを特徴とする請求項１記載のインナーラック構造。
【請求項３】
前記インナーラックは、スクータ型自動二輪車の前部側に取り付けられるアウターカバーに対して後方から重ね合わせて取り付けられるレッグシールドのインナーカバーに固定されるとともに、当該インナーカバーは、前記インナーラックよりも硬度が大きく設定されたことを特徴とする請求項１記載のインナーラック構造。
【請求項４】
前記インナーラックは、前記収納スペースを臨ませる開口部を開閉し得るとともに、弾性変形による作用で開閉可能とされた蓋部を具備したことを特徴とする請求項１記載のインナーラック構造。
【請求項５】
前記蓋部は、その初期形状が上方に凸形状とされて前記開口部を閉塞するとともに、当該凸形状を押圧して下方に凹形状に弾性変形させることにより当該開口部を開放し得ることを特徴とする請求項４記載のインナーラック構造。
【請求項６】
前記蓋部は、その初期形状が前記開口部を閉塞するとともに、弾性変形により開口可能な切込みを有することを特徴とする請求項４記載のインナーラック構造。
【請求項７】
前記インナーラックは、ポリ塩化ビニル材料を所望形状に成形して成るとともに、スクータ型自動二輪車の前部側に取り付けられるアウターカバーに対して後方から重ね合わせて取り付けられるレッグシールドのインナーカバーに固定され、且つ、前記インナーカバーは硬質樹脂材料から成るとともに、前記インナーラックは、当該インナーカバーに形成されたスリットに弾性変形にて固定される係合突起が形成されたことを特徴とする請求項１記載のインナーラック構造。
【請求項８】
前記係合突起は、前記インナーカバーとの合わせ面に複数形成されるとともに、少なくとも前記インナーラックの上下左右の角部に形成された係合突起は、締結手段により前記インナーカバーの裏面に締結固定されることを特徴とする請求項７記載のインナーラック構造。
【請求項９】
前記係合突起は、前記インナーカバーに形成された矩形スリットに係合可能な第１の係合突起と、前記インナーカバーに形成された円形スリットに係合可能な前記第１の係合突起よりも大きい第２の係合突起とを有するものとされ、前記インナーラックの側面に前記第１の係合突起が形成されるとともに底部に前記第２の係合突起が形成されたことを特徴とする請求項８記載のインナーラック構造。
【請求項１０】
前記収納スペースの底部は、前記インナーカバーの折り返し底板部から成ることを特徴とする請求項９記載のインナーラック構造。
【請求項１１】
前記収納スペースを臨ませる開口部を開閉し得るとともに、弾性変形による作用で開閉可能とされた蓋部と、該蓋部に形成されるとともに、前記第１の係合突起と略同一の大きさ及び形状の係合突起とを有し、当該蓋部は、当該係合突起を弾性変形させて前記インナーラックに形成された矩形スリットに固定されることを特徴とする請求項９記載のインナーラック構造。
【発明の詳細な説明】
【技術分野】
【０００１】
本発明は、スクータ型自動二輪車の着座シートの前方で運転者の脚部に対峙した位置に設けられ、荷物を収納可能な収納スペースが形成されたインナーラック構造に関するものである。
【背景技術】
【０００２】
スクータ型自動二輪車のレッグシールドにおける着座シートに対向した位置に配設され、荷物を収納可能なバスケット（インナーラック）について、例えば特許文献１にて開示されている。かかるインナーラックは、リンクにより開閉可能な蓋体を具備しており、当該蓋体を開状態とすることで収納スペースを開放させて荷物を収納することができるようになっている。
【先行技術文献】
【特許文献】
【０００３】
【特許文献１】特開２００８−１９５１７３号公報
【発明の概要】
【発明が解決しようとする課題】
【０００４】
しかしながら、上記した従来のインナーラックは、構造が複雑になり、コスト高になってしまう上に、バスケットに荷物を入れている時に運転者が通常より前方位置にて着座したりすると、着座シートに着座した運転者の脚が蓋体等に干渉してしまう虞があった。そのため、運転者は、インナーラックと干渉した状態を避けるべく後方位置にて着座したり或いは脚を不自然に曲げる等する必要があり、着座姿勢及び着座位置の自由度が低くなってしまうという問題があった。また、収納スペースを小さくして運転者の脚が干渉するのを抑制することも考えられるが、その場合、収納性が低下してしまうという問題がある。
【０００５】
本発明は、このような事情に鑑みてなされたもので、収納性を維持しつつ運転者の着座姿勢及び着座位置の自由度を向上させることができるインナーラック構造を提供することにある。
【課題を解決するための手段】
【０００６】
請求項１記載の発明は、スクータ型自動二輪車の着座シートの前方で運転者の脚部に対峙した位置に設けられ、荷物を収納可能な収納スペースが形成されたインナーラック構造において、前記インナーラックは、可撓性材料にて形成され、前記着座シートに着座した運転者の脚が当接したとき、その当接形状と略同等形状に変形可能とされたことを特徴とする。
【０００７】
請求項２記載の発明は、請求項１記載のインナーラック構造において、前記インナーラックは、ポリ塩化ビニル材料を所望形状に成形して成り、肉厚が２〜４ｍｍ及び硬度が３０〜６０程度とされたことを特徴とする。
【０００８】
請求項３記載の発明は、請求項１記載のインナーラック構造において、前記インナーラックは、スクータ型自動二輪車の前部側に取り付けられるアウターカバーに対して後方から重ね合わせて取り付けられるレッグシールドのインナーカバーに固定されるとともに、当該インナーカバーは、前記インナーラックよりも硬度が大きく設定されたことを特徴とする。
【０００９】
請求項４記載の発明は、請求項１記載のインナーラック構造において、前記インナーラックは、前記収納スペースを臨ませる開口部を開閉し得るとともに、弾性変形による作用で開閉可能とされた蓋部を具備したことを特徴とする。
【００１０】
請求項５記載の発明は、請求項４記載のインナーラック構造において、前記蓋部は、その初期形状が上方に凸形状とされて前記開口部を閉塞するとともに、当該凸形状を押圧して下方に凹形状に弾性変形させることにより当該開口部を開放し得ることを特徴とする。
【００１１】
請求項６記載の発明は、請求項４記載のインナーラック構造において、前記蓋部は、その初期形状が前記開口部を閉塞するとともに、弾性変形により開口可能な切込みを有することを特徴とする。
【００１２】
請求項７記載の発明は、請求項１記載のインナーラック構造において、前記インナーラックは、ポリ塩化ビニル材料を所望形状に成形して成るとともに、スクータ型自動二輪車の前部側に取り付けられるアウターカバーに対して後方から重ね合わせて取り付けられるレッグシールドのインナーカバーに固定され、且つ、前記インナーカバーは硬質樹脂材料から成るとともに、前記インナーラックは、当該インナーカバーに形成されたスリットに弾性変形にて固定される係合突起が形成されたことを特徴とする。
【００１３】
請求項８記載の発明は、請求項７記載のインナーラック構造において、前記係合突起は、前記インナーカバーとの合わせ面に複数形成されるとともに、少なくとも前記インナーラックの上下左右の角部に形成された係合突起は、締結手段により前記インナーカバーの裏面に締結固定されることを特徴とする。
【００１４】
請求項９記載の発明は、請求項８記載のインナーラック構造において、前記係合突起は、前記インナーカバーに形成された矩形スリットに係合可能な第１の係合突起と、前記インナーカバーに形成された円形スリットに係合可能な前記第１の係合突起よりも大きい第２の係合突起とを有するものとされ、前記インナーラックの側面に前記第１の係合突起が形成されるとともに底部に前記第２の係合突起が形成されたことを特徴とする。
【００１５】
請求項１０記載の発明は、請求項９記載のインナーラック構造において、前記収納スペースの底部は、前記インナーカバーの折り返し底板部から成ることを特徴とする。
【００１６】
請求項１１記載の発明は、請求項９記載のインナーラック構造において、前記収納スペースを臨ませる開口部を開閉し得るとともに、弾性変形による作用で開閉可能とされた蓋部と、該蓋部に形成されるとともに、前記第１の係合突起と略同一の大きさ及び形状の係合突起とを有し、当該蓋部は、当該係合突起を弾性変形させて前記インナーラックに形成された矩形スリットに固定されることを特徴とする。
【発明の効果】
【００１７】
請求項１の発明によれば、インナーラックは、可撓性材料にて形成され、着座シートに着座した運転者の脚が当接したとき、その当接形状と略同等形状に変形可能となる柔らかさに形成されているので、運転者の脚がインナーラックに当接した姿勢で乗車できたり、脚が痛くなることも少なくなり、収納性を維持しつつ運転者の着座姿勢及び着座位置の自由度を向上させることができる。特に、後部座席に大きな荷物を積載する時などに乗車が楽になる。
【００１８】
請求項２の発明によれば、インナーラックは、ポリ塩化ビニル材料を所望形状に成形して成り、肉厚が２〜４ｍｍ及び硬度が３０〜６０程度とされたので、軽く手で押すぐらいの力で変形可能な硬度であり、着座シートに着座した運転者の脚が当接したとき、その当接形状と略同等形状に円滑且つ確実に変形させることができるとともに、初期形状で収納スペースに入らない大きさ又は形状の荷物であってもインナーラックを弾性変形させて収納スペースに入れることもできる。
【００１９】
請求項３の発明によれば、インナーラックは、スクータ型自動二輪車の前部側に取り付けられるアウターカバーに対して後方から重ね合わせて取り付けられるレッグシールドのインナーカバーに固定されるとともに、当該インナーカバーがインナーラックよりも硬度が大きく設定されているので、インナーラックの硬度が低くてもインナーカバーの硬度にて荷物の保持機能を維持させることができる。
【００２０】
請求項４の発明によれば、インナーラックは、収納スペースを臨ませる開口部を開閉し得るとともに、弾性変形による作用で開閉可能とされた蓋部を具備したので、蓋部の開閉のための別個部材を不要とすることができ、コンパクト化・低コスト化を図ることができるとともに、収納スペースの使い勝手を向上させることができる。
【００２１】
請求項５の発明によれば、蓋部は、その初期形状が上方に凸形状とされて開口部を閉塞するとともに、当該凸形状を押圧して下方に凹形状に弾性変形させることにより当該開口部を開放し得るので、複雑な構造を必要とせず、材料の硬度と形状にて、ワンプッシュオープンの蓋構造を提供することができ、荷物を収納する際の使い勝手を向上させることができる。
【００２２】
請求項６の発明によれば、蓋部は、その初期形状が開口部を閉塞するとともに、弾性変形により開口可能な切込みを有するので、複雑な構造を必要とせず荷物を収納する際の使い勝手を向上させることができ、任意の方向から切込みに手を入れて開口させることができるので、開口方向を任意に設定することができたり、使い勝手を向上させたりすることもできる。
【００２３】
請求項７の発明によれば、インナーラックは、ポリ塩化ビニル材料を所望形状に成形して成るとともに、スクータ型自動二輪車の前部側に取り付けられるアウターカバーに対して後方から重ね合わせて取り付けられるレッグシールドのインナーカバーに固定され、且つ、インナーカバーは硬質樹脂材料から成るとともに、インナーラックは、当該インナーカバーに形成されたスリットに弾性変形にて固定される係合突起が形成されたので、単に係合突起をスリットに差し込むことにより当該係合突起を弾性変形させてインナーラックをインナーカバーに固定させることができるので、固定方法が簡単な上、別の固定部材なども不要となる。
【００２４】
請求項８の発明によれば、係合突起は、インナーカバーとの合わせ面に複数形成されるとともに、少なくともインナーラックの上下左右の角部に形成された係合突起は、締結手段によりインナーカバーの裏面に締結固定されるので、締結手段による必要最小限の固定が上下左右の角部にて行うことができ、他の箇所を係合突起の弾性変形だけで固定することができることから、インナーラックを固定するための構造を簡素化・低コスト化することができる。
【００２５】
請求項９の発明によれば、係合突起は、インナーカバーに形成された矩形スリットに係合可能な第１の係合突起と、インナーカバーに形成された円形スリットに係合可能な第１の係合突起よりも大きい第２の係合突起とを有するものとされ、インナーラックの側面に第１の係合突起が形成されるとともに底部に第２の係合突起が形成されたので、インナーラックの底部においては荷物の重量を確実に受け止めることができ、且つ、他の部位においてはインナーラックの弾性変形を確実且つ円滑に行わせ、荷物の形状や当接する脚の形状に合わせて柔軟に弾性変形させることができる。
【００２６】
請求項１０の発明によれば、収納スペースの底部は、インナーカバーの折り返し構造で支持されるので、荷物の重量を第２の係合突起の係合力に加え、インナーカバーの折り返し部の剛性でも受け止めることができ、インナーラックを柔らかい材料で形成しながらも荷物を効果的に保持させることもできる。
【００２７】
請求項１１によれば、収納スペースを臨ませる開口部を開閉し得るとともに、弾性変形による作用で開閉可能とされた蓋部と、該蓋部に形成されるとともに、第１の係合突起と略同一の大きさ及び形状の係合突起とを有し、当該蓋部は、当該係合突起を弾性変形させてインナーラックの矩形スリットに固定されるので、蓋部の開閉時に当該蓋部を円滑且つスムーズに弾性変形させることができ、荷物の出し入れをより容易にすることができる。
【図面の簡単な説明】
【００２８】
【図１】本発明の第１の実施形態に係るインナーラックが適用されるスクータ型自動二輪車を示した側面図
【図２】本実施形態に適用されるスクータ型自動二輪車のレッグシールドを示す分解斜視図
【図３】同レッグシールドを示す正面図
【図４】同インナーラックをスクータ型自動二輪車に取り付けた状態を示す斜視図
【図５】同インナーラックを裏面側から見た斜視図
【図６】本実施形態に適用されるスクータ型自動二輪車におけるレッグシールドのインナーカバー（インナーラックが取り付けられる前の状態）を裏面側から見た模式図
【図７】本実施形態に適用されるスクータ型自動二輪車におけるレッグシールドのインナーカバー（インナーラックが取り付けられた状態）の図６におけるＶＩＩＩ−ＶＩＩＩ断面図
【図８】同インナーラックにおける蓋部の開状態を示す斜視図
【図９】同インナーラックに運転者の脚が干渉した状態を示す平面図
【図１０】本実施形態に適用されるスクータ型自動二輪車におけるレッグシールドのインナーカバー（インナーラックが取り付けられる前の状態）を側面から見た模式図
【図１１】本発明の第２の実施形態に係るインナーラックをスクータ型自動二輪車に取り付けた状態を示す斜視図
【図１２】同インナーラック及び蓋部を示す斜視図
【図１３】同蓋部を示す斜視図
【図１４】同インナーラックに取り付けられた蓋部（閉状態）を示し、図１６におけるＸＩＶ−ＸＩＶの断面図
【図１５】同インナーラックに取り付けられた蓋部（開状態）を示す断面図
【図１６】同インナーラックにおける蓋部（開状態）の係合突起と矩形スリットとの位置関係を示す模式図
【発明を実施するための形態】
【００２９】
以下、本発明の実施形態について図面を参照しながら具体的に説明する。
第１の本実施形態に係るインナーラックは、図１に示すように、スクータ型自動二輪車の着座シート１１の前方で運転者Ｍの脚部に対峙した位置に設けられ、荷物を収納可能な収納スペースが形成されたものである。かかるスクータ型自動二輪車は、同図に示すように、運転者の脚の前方を覆って保護するためのレッグシールド１と、アンダーカバー７及びフロントカバー９等の種々カバー類と、運転者が着座し得る着座シート１１と、運転者が両足をそろえて置くステップフロア８と、操舵のためのハンドルバーＨと、ヘッドライトＬとを有し、車両の左側にベルト式変速機ユニット２４と、それと一体のエンジン（図示せず）をリヤサスペンション２５で揺動自在に支持するユニットスイングエンジンと、エアクリーナ２６とを備えるスクータである。
【００３０】
レッグシールド１は、図２に示すように、アウターカバー２と、インナーカバー３と、複数の係合手段４とを有して構成されている。このうちアウターカバー２は、スクータ型自動二輪車の前部側に取り付けられるもので、本実施形態においては、インナーカバー３に対して車両の左右両側に一対設けられ、その間にフロントカバー９が取り付けられるよう構成されている。なお、本実施形態に係るアウターカバー２は、図２に示すように、車両のウィンカを外部に臨ませるウィンカ用開口部２ａと、上部取付部２ｂと、下部取付部２ｃとが形成されている。
【００３１】
インナーカバー３は、アウターカバー２に対して後方から重ね合わせて取り付けられるよう構成されており、車両に組み付けられたアウターカバー２とインナーカバー３との間には、図３に示すように、スクータ型自動二輪車のヘッドパイプ１２や該ヘッドパイプ１２より後下方に向かって延設されたダウンフレーム１３が位置するようになっている。なお、図３中符号１４は、ステップフロア８を支持するためのロアフレームを示している。
【００３２】
本実施形態に係る係合手段４は、アウターカバー２とインナーカバー３とを係合して一体化するためのスナップフィットから成るもので、図１に示すように、アウターカバー２及びインナーカバー３の上下方向に略等間隔で複数（本実施形態においては、４（Ｐ１）、４（Ｐ２）、４（Ｐ３）及び４（Ｐ４）の４つ）形成されている。すなわち、アウターカバー２及びインナーカバー３には、４（Ｐ１）〜４（Ｐ４）の各位置にスナップフィットを構成する係合凸部及び当該スナップフィット嵌合する嵌合部が形成されており、対応する係合凸部が嵌合部に嵌合することで、アウターカバー２とインナーカバー３とが係合して一体化するよう構成されているのである。尚、同図中符号５、６は、レッグシールド１を車両に固定させるためのボルト等の締結手段を示している。
【００３３】
さらに、本実施形態に係るインナーカバー３における表面（車両に組み付けられた際に着座シート１１に対峙する面）には、任意の荷物を収納可能なインナーラック１０が形成されている。かかるインナーラック１０は、図４、５に示すように、内部に荷物を収容するための各々約１Ｌ程度の収納スペースＳ１、Ｓ２が形成されたもので、一方の収納スペースＳ１側には、切込み１５ａを有した蓋部１５が一体的に形成されている。なお、他方の収納スペースＳ２は、上方に常時開口した状態とされている。
【００３４】
ここで、本実施形態に係るインナーラック１０は、可撓性材料にて形成され、着座シート１１に着座した運転者の脚が当接したとき、その当接形状と略同等形状に変形可能とされている。すなわち、インナーラック１０は、運転者の脚が干渉したとき、図９の二点鎖線から同図実線で示した状態に変形することで、運転者の脚との当接形状と略同等形状に変形するものとされている。具体的には、インナーラック１０は、ポリ塩化ビニル材料（軟質ＰＶＣ材料）を所望形状に成形して成り、肉厚が２〜４ｍｍ及び硬度（ＪＩＳ  Ｋ６２５３）が３０〜６０程度（好ましくは４０〜５０程度で、指先で軽く押して変形が可能な柔らかさ）とされることで、運転者の脚が当接したとき、その当接形状と略同等形状に変形可能となっている。
【００３５】
一方、インナーカバー３は、硬質樹脂材料（例えば硬度（ＪＩＳ  Ｋ６２５３）が８５〜１２０程度のＡＢＳ樹脂材料やＰＰ樹脂材料等）を所望形状に成形して成るものとされており、インナーラック１０よりもインナーカバー３の方が硬度が大きく設定されている。蓋部１５は、収納スペースＳ１を臨ませる開口部Ａ（図８参照）を開閉し得るとともに、弾性変形による作用で開閉可能とされたもので、その初期形状が開口部Ａを閉塞するとともに、図８に示すように、弾性変形により開口可能な切込み１５ａが形成されている。これにより、あらゆる方向からでも切込み１５ａに指先を挿入でき、開口させることができる。
【００３６】
また、本実施形態に係るインナーカバー３におけるインナーラック１０が取り付けられる位置（インナーカバー３とインナーラック１０との合わせ面）には、図６に示すように、矩形スリット１９、円形スリット２０、角部スリット２１及びフック用孔２２が形成されているとともに、インナーラック１０の裏面側には、図５に示すように、スリット（矩形スリット１９、円形スリット２０及び角部スリット２１）に弾性変形にて固定される複数の係合突起（第１の係合突起１６、第２の係合突起１７及び第３の係合突起１８）が形成されている。なお、フック用孔２２を介して荷物を引っ掛けて保持可能なフックＦ（図４参照）がフック用取付穴２２ａを介して取付可能とされている。
【００３７】
本実施形態に係る係合突起は、インナーカバー３に形成された矩形スリット１９に係合可能な第１の係合突起１６と、インナーカバー３に形成された円形スリット２０に係合可能な第１の係合突起１６よりも大きい第２の係合突起１７とを有するものとされ、インナーラック１０の側面に第１の係合突起１６が形成されるとともに当該インナーラック１０の底部に第２の係合突起１７が形成されている。また、第３の係合突起１８は、インナーラック１０の少なくとも上下左右の角部に形成されており、図１６（同図は、第２の実施形態の図であるが、本実施形態と実質的に同一であるため、同図を参照）に示すように、角部スリット２１に挿通された後、折り返されてネジ、スクリューｂ等の締結手段によりインナーカバー３の裏面に締結固定されるものとされている。
【００３８】
しかして、図１６に示すように、矩形スリット１９、円形スリット２０及び角部スリット２１に対して第１の係合突起１６、第２の係合突起１７及び第３の係合突起１８を挿通して弾性力にて係合させた後、第３の係合突起１８を折り返してネジｂにて締結することにより、インナーカバー３にインナーラック１０を固定することができる。なお、インナーカバー３には、図１２、１３に示すように、インナーラック１０の取付位置に沿って溝３ａが形成されており、当該溝３ａにインナーラック１０の縁部が入り込んで取り付けられるようになっている。
【００３９】
一方、インナーカバー３のインナーラック１０の取付位置には、図１０に示すように、着座シート１１側に膨出した折り返し部３ｂが形成されており、インナーラック１０が取り付けられると、当該折り返し部３ｂが収納スペースの底部を構成するようになっている。すなわち、蓋部１５の切込み１５ａ近傍を押圧して弾性変形させ、開口部Ａを形成（図８参照）した後、その開口部Ａから収納スペースＳ１に任意の荷物を入れると、その荷物の重量をインナーカバー３の一部である折り返し部３ｂが受けて保持することができるのである。したがって、収納スペースＳ１の底部がインナーカバー３の折り返し底板部（折り返し部３ｂ）から成るので、インナーラック１０の硬度が低くても荷物を確実に保持させることができる。
【００４０】
上記実施形態に係るインナーラック１０によれば、可撓性材料にて形成され、着座シート１１に着座した運転者の脚が当接したとき、その当接形状と略同等形状に変形可能なる柔らかさに形成されているので、運転者の脚がインナーラック１０に当接した姿勢で乗車できたり、脚が痛くなることも少なくなり、収納性を維持しつつ運転者の着座姿勢及び着座位置の自由度を向上させることができる。特に、後部座席に大きな荷物Ｎを積載する時などに乗車が楽になる。
【００４１】
また、本実施形態に係るインナーラック１０においては、ポリ塩化ビニル材料を所望形状に成形して成り、肉厚が２〜４ｍｍ及び硬度が３０〜６０程度とされたので、軽く手で押すぐらいの力で変形可能な硬度であり、着座シート１１に着座した運転者の脚が当接したとき、その当接形状と略同等形状に円滑且つ確実に変形させることができるとともに、初期形状で収納スペースに入らない大きさ又は形状の荷物であってもインナーラック１０を弾性変形させて収納スペースに入れることもできる。
【００４２】
また、本実施形態に係るインナーラック１０によれば、スクータ型自動二輪車の前部側に取り付けられるアウターカバー２に対して後方から重ね合わせて取り付けられるレッグシールド１のインナーカバー３に固定されるとともに、当該インナーカバー３がインナーラック１０よりも硬度が大きく設定されているので、インナーラック１０の硬度が低くてもインナーカバー３の硬度にて荷物の保持機能を維持させることができる。
【００４３】
さらに、本実施形態によれば、収納スペースＳ１を臨ませる開口部Ａを開閉し得るとともに、弾性変形による作用で開閉可能とされた蓋部１５を具備したので、蓋部１５の開閉のための別個部材を不要とすることができ、コンパクト化・低コスト化を図ることができるとともに、収納スペースＳ１の使い勝手を向上させることができる。特に、本実施形態に係る蓋部１５は、その初期形状が開口部Ａを閉塞するとともに、弾性変形により開口可能な切込み１５ａを有するので、複雑な構造を必要とせず、材料の硬度と形状にて、ワンプッシュオープンの蓋構造を提供することができ、荷物を収納する際の使い勝手を向上させることができる。
【００４４】
またさらに、本実施形態に係るインナーラック１０によれば、ポリ塩化ビニル材料を所望形状に成形して成るとともに、レッグシールド１のインナーカバー３に固定され、且つ、インナーカバー３は硬質樹脂材料から成るとともに、当該インナーカバー３に形成されたスリット（１９〜２１）に弾性変形にて固定される係合突起（１６〜１８）が形成されたので、単に係合突起（１６〜１８）をスリット（１９〜２１）に差し込むことにより当該係合突起（１６〜１８）を弾性変形させてインナーラック１０をインナーカバー３に固定させることができるので、固定方法が簡単な上、別の固定部材なども不要となる。
【００４５】
本実施形態に係る係合突起は、インナーカバー３との合わせ面に複数形成されるとともに、少なくとも上下左右の角部に形成された係合突起（第３の係合突起１８）は、締結手段（本実施形態においてはネジｂ）によりインナーカバー３の裏面に締結固定されるので、締結手段による必要最小限の固定が上下左右の角部にて行うことができ、他の箇所を係合突起（第１の係合突起１６及び第２の係合突起１７）の弾性変形だけで固定することができることから、インナーラック３を固定するための構造を簡素化・低コスト化することができる。
【００４６】
また、本実施形態に係る係合突起は、インナーカバー３に形成された矩形スリット１９に係合可能な第１の係合突起１６と、インナーカバー３に形成された円形スリット２０に係合可能な第１の係合突起１６よりも大きい第２の係合突起１７とを有するものとされ、インナーラック１０の側面に第１の係合突起１６が形成されるとともに当該インナーラック１０の底部に第２の係合突起１７が形成されたので、インナーラック１０の底部においては荷物の重量を確実に受け止めることができ、且つ、他の部位においてはインナーラック１０の弾性変形を確実且つ円滑に行わせ、荷物の形状や当接する脚の形状に合わせて柔軟に弾性変形させることができる。
【００４７】
次に、本発明に係る第２の実施形態について説明する。
第２の実施形態に係るインナーラック１０は、第１の実施形態と同様、スクータ型自動二輪車（図１参照）の着座シート１１に対峙した位置に設けられ、荷物を収納可能な収納スペース（Ｓ１、Ｓ２）が形成されたもので、図１１に示すように、一方の収納スペースＳ１側には、蓋部２３が取り付けられているとともに、他方の収納スペースＳ２は、上方に常時開口した状態とされている。なお、第１の実施形態と同様の構成要素には同一の符号を付し、それらの詳細な説明を省略することとする。
【００４８】
本実施形態に係るインナーラック１０は、第１の実施形態と同様、可撓性材料にて形成され、着座シート１１に着座した運転者の脚が当接したとき、その当接形状と略同等形状に変形可能とされている。具体的には、インナーラック１０は、ポリ塩化ビニル材料（軟質ＰＶＣ材料）を所望形状に成形して成り、肉厚が２〜４ｍｍ及び硬度（ＪＩＳ  ６２５３）が３０〜６０程度（好ましくは４０〜５０程度）とされることで、運転者の脚が当接したとき、その当接形状と略同等形状に変形可能となっている。
【００４９】
また、本実施形態に係るインナーカバー３におけるインナーラック１０が取り付けられる位置（インナーカバー３とインナーラック１０との合わせ面）には、第１の実施形態と同様、矩形スリット１９、円形スリット２０、角部スリット２１及びフック用孔２２が形成（図６参照）されているとともに、インナーラック１０の裏面側には、スリット（矩形スリット１９、円形スリット２０及び角部スリット２１）に弾性変形にて固定される複数の係合突起（第１の係合突起１６、第２の係合突起１７及び第３の係合突起１８）が形成（図５参照）されている。
【００５０】
ここで、蓋部２３は、収納スペースＳ１を臨ませる開口部Ｂ（図１２参照）を開閉し得るとともに、弾性変形による作用で開閉可能とされたもので、本実施形態においては、図１４に示すように、その初期形状が上方にすり鉢形状で凸形状αとされて開口部Ｂを閉塞するとともに、図１５に示すように、当該凸形状αを上方から押圧して下方に凹形状βに弾性変形（反り返った形状に変形）させることにより当該開口部Ｂを開放し得るよう構成されている。なお、蓋部２３は、下方に凹形状βに弾性変形した状態（開口部Ｂが開放した状態）が保持されるのが好ましい。
【００５１】
さらに、本実施形態に係る蓋部２３は、図１３に示すように、第１の係合突起１６と略同一の大きさ及び形状の係合突起２３ａを有しており、当該係合突起２３ａを弾性変形させてインナーラック１０の開口部Ｂ周縁に形成された矩形スリット１０ａ（図１２参照）に固定可能とされている。これにより、蓋部２３の開閉時に当該蓋部２３を円滑且つスムーズに弾性変形させることができ、荷物の出し入れをより容易にすることができる。なお、本実施形態に係る係合突起２３ａと矩形スリット１９との位置関係は、図１６の如き関係となっているが、係合突起２３ａと係合させる矩形スリットをインナーカバー３に形成するようにしてもよい。
【００５２】
一方、インナーカバー３のインナーラック１０の取付位置には、第１の実施形態と同様、着座シート１１側に膨出した折り返し部３ｂが形成されており、インナーラック１０が取り付けられると、当該折り返し部３ｂが収納スペースの底部を構成するようになっている。すなわち、凸形状αを上方から押圧して下方に凹形状βに弾性変形させて反り返った形状に変形させることにより開口部Ｂを開放（図１５参照）した後、その開口部Ｂから収納スペースＳ１に任意の荷物を入れると、その荷物の重量をインナーカバー３の一部である折り返し部３ｂが受けて保持することができるのである。したがって、収納スペースＳ１の底部がインナーカバー３の折り返し底板部（折り返し部３ｂ）から成るので、インナーラック１０の硬度が低くても荷物を確実に保持させることができる。
【００５３】
上記実施形態によれば、蓋部２３の初期形状が上方に凸形状αとされて開口部Ｂを閉塞するとともに、当該凸形状αを押圧して下方に凹形状βに弾性変形させることにより当該開口部Ｂを開放し得るので、荷物の重量を第２の係合突起の係合力に加え、インナーカバー３の折り返し部３ｂの剛性でも受け止めることができ、インナーラック１０を柔らかい材料で形成しながらも荷物を効果的に保持させることもできる。なお、蓋部２３は、他のインナーラック１０の材質と同一のものが好ましいが、弾力に富んだ他の材質のものとしてもよい。
【００５４】
以上、本実施形態について説明したが、本発明はこれに限定されるものではなく、例えば本実施形態においてはレッグシールド１のインナーカバーに固定されているが、レッグシールドを具備しないスクータ型自動二輪車においては、他の部材（但し、スクータ型自動二輪車の着座シートに対峙した位置の部材）に形成するようにしてもよい。また、インナーラック１０（蓋部２３含む）は、ポリ塩化ビニル材料を所望形状に成形して成り、肉厚が２〜４ｍｍ及び硬度が３０〜６０程度のものに限らず、可撓性材料にて形成され、前記着座シートに着座した運転者の脚が当接したとき、その当接形状と略同等形状に変形可能とされたものであれば足りる。
【産業上の利用可能性】
【００５５】
可撓性材料にて形成され、着座シートに着座した運転者の脚が当接したとき、その当接形状と略同等形状に変形可能とされたインナーラックで構造あれば、外観形状が異なるもの、或いは他の機能が付加されたもの等にも適用することができる。
【符号の説明】
【００５６】
１    レッグシールド
２    アウターカバー
３    インナーカバー
４    係合手段
５、６    締結手段
７    アンダーカバー
８    ステップフロア
９    フロントカバー
１０  インナーラック
１１  着座シート
１２  ヘッドパイプ
１３  ダウンフレーム
１４  ロアフレーム
１５  蓋部
１６  第１の係合突起
１７  第２の係合突起
１８  第３の係合突起
１９  矩形スリット
２０  円形スリット
２１  角部スリット
２２  フック用孔
２３  蓋部
【図１】
2017508664.tif 000003
【図２】
2017508664.tif 000004
【図３】
2017508664.tif 000005
【図４】
2017508664.tif 000006
【図５】
2017508664.tif 000007
【図６】
2017508664.tif 000008
【図７】
2017508664.tif 000009
【図８】
2017508664.tif 000010
【図９】
2017508664.tif 000011
【図１０】
2017508664.tif 000012
【図１１】
2017508664.tif 000013
【図１２】
2017508664.tif 000014
【図１３】
2017508664.tif 000015
【図１４】
2017508664.tif 000016
【図１５】
2017508664.tif 000017
【図１６】
2017508664.tif 000018
【国際調査報告】
2017508664.tif 000019
2017508664.tif 000020